(57)【要約】【課題】写真プリントシステムにおいて、取扱いの複雑化を回避しながら、初回のプリントにおけるフロントプリントを忠実に再現できるようにする。【解決手段】写真プリントの画像面に画像と共にプリント記録する対象となり得るフロントプリント対象情報と写真プリントを作製するための画像とを保持した画像保持担体から前記画像及び前記フロントプリント対象情報を取り込む取り込み装置ＣＴと、写真プリント装置ＰＲと、写真プリントを作製した画像の画像データを記録媒体に書き込む書込み装置ＣＲとが設けられた写真プリントシステムにおいて、書込み装置ＣＲは、前記画像の画像データを有する画像ファイルと、写真プリント作製時に実際にプリント記録した前記フロントプリント対象情報を特定可能な状態で前記フロントプリント対象情報を有する情報ファイルとを別ファイルとして、前記記録媒体へ書き込むように構成されている。【選択図】図１
2005184430.tif 000002
【特許請求の範囲】
【請求項１】
写真プリントの画像面に画像と共にプリント記録する対象となり得るフロントプリント対象情報と写真プリントを作製するための画像とを保持した画像保持担体から前記画像及び前記フロントプリント対象情報を取り込む取り込み装置と、その取り込み装置にて取り込んだ前記画像及び前記フロントプリント対象情報に基づいて写真プリントを作製する写真プリント装置と、写真プリントを作製した画像の画像データを記録媒体に書き込む書込み装置とが設けられた写真プリントシステムであって、
前記書込み装置は、前記画像の画像データを有する画像ファイルと、写真プリント作製時に実際にプリント記録した前記フロントプリント対象情報を特定可能な状態で前記フロントプリント対象情報を有する情報ファイルとを別ファイルとして、前記記録媒体へ書き込むように構成されている写真プリントシステム。
【請求項２】
前記書込み装置は、前記フロントプリント対象情報のうち、写真プリント作製時に実際にプリント記録した前記フロントプリント対象情報のみを有する前記情報ファイルを前記記録媒体へ書き込むように構成されている請求項１記載の写真プリントシステム。
【請求項３】
前記画像保持担体が、デジタルカメラの撮影画像を記憶する記憶媒体あるいは磁気記録機能付き写真フィルムである請求項１又は２記載の写真プリントシステム。
【請求項４】
前記記録媒体がＣＤ−Ｒメディアである請求項１〜３のいずれかに記載の写真プリントシステム。
【発明の詳細な説明】
【技術分野】
【０００１】
本発明は、写真プリントの画像面に画像と共にプリント記録する対象となり得るフロントプリント対象情報と写真プリントを作製するための画像とを保持した画像保持担体から前記画像及び前記フロントプリント対象情報を取り込む取り込み装置と、その取り込み装置にて取り込んだ前記画像及び前記フロントプリント対象情報に基づいて写真プリントを作製する写真プリント装置と、写真プリントを作製した画像の画像データを記録媒体に書き込む書込み装置とが設けられた写真プリントシステムに関する。
【背景技術】
【０００２】
かかる写真プリントシステムは、例えばデジタルカメラにて撮影された画像をもとに写真プリントを作製するシステムであり、この写真プリントの作製においては、単に撮影画像をプリントするだけではなく、図６に例示するように写真プリントＰＰのように、画像面側に例えば撮影日付情報ＤＤ等のフロントプリント対象情報をも併せてプリントするいわゆるフロントプリントと呼ばれるサービスが提供されている。
このようなサービスを提供するために必要となる前記フロントプリント対象情報は、例えばデジタルカメラの場合では、画像データを記憶した記憶媒体（メモリカード等）においてプリント注文用の専用ファイルに記憶保存されている場合や、画像ファイル自体に画像データと共に書き込まれている場合がある。
【０００３】
一方、下記特許文献１にも記載のように、写真プリントを作製した画像の画像データを例えばＣＤ−Ｒメディア等の記録媒体に記録して顧客に提供するサービスも存在する。
このような場合において、前記記録媒体を受け取った顧客は、その記録媒体で焼き増しプリントの注文を依頼する場合がある。
従来、このような焼き増しプリントの注文依頼を受けたときは、写真プリントシステムを運用する業者は、その記録媒体の記録画像を読取って、その読取った画像のみについて写真プリントを作製する。
【特許文献１】特開平１１−８８５７７号公報
【発明の開示】
【発明が解決しようとする課題】
【０００４】
しかしながら、上記従来構成では、初回に作製した写真プリントと異なった写真プリントができてしまう場合がある。
すなわち、初回の写真プリント作製時に例えば撮影日付等をフロントプリントした場合でも、焼き増しプリントにはそのフロントプリントの情報が反映されないのである。
このために、初回の写真プリントと異なる写真プリントであるというクレームを顧客から受けてしまうことになってしまう。
本発明は、かかる実情に鑑みてなされたものであって、その目的は、取扱いの複雑化を回避しながら、初回のプリントにおけるフロントプリントを忠実に再現できるようにする点にある。
【課題を解決するための手段】
【０００５】
本出願の第１の発明は、写真プリントの画像面に画像と共にプリント記録する対象となり得るフロントプリント対象情報と写真プリントを作製するための画像とを保持した画像保持担体から前記画像及び前記フロントプリント対象情報を取り込む取り込み装置と、その取り込み装置にて取り込んだ前記画像及び前記フロントプリント対象情報に基づいて写真プリントを作製する写真プリント装置と、写真プリントを作製した画像の画像データを記録媒体に書き込む書込み装置とが設けられた写真プリントシステムにおいて、前記書込み装置は、前記画像の画像データを有する画像ファイルと、写真プリント作製時に実際にプリント記録した前記フロントプリント対象情報を特定可能な状態で前記フロントプリント対象情報を有する情報ファイルとを別ファイルとして、前記記録媒体へ書き込むように構成されている。
【０００６】
すなわち、前記記録媒体から焼き増しプリントする画像の画像データを読取るときに、前記情報ファイルから、初回の写真プリント作製時に写真プリントの画像面に実際にプリント記録した前記フロントプリント対象情報を自動的に取得することが可能となる。
【０００７】
又、本出願の第２の発明は、上記第１の発明の構成に加えて、前記書込み装置は、前記フロントプリント対象情報のうち、写真プリント作製時に実際にプリント記録した前記フロントプリント対象情報のみを有する前記情報ファイルを前記記録媒体へ書き込むように構成されている。
すなわち、前記記録媒体への前記情報ファイルの書込み態様としては、取得した前記フロントプリンント対象情報を全て含めると共に、それらの前記フロントプリント対象情報夫々について初回の写真プリント作製時に実際にプリント記録したか否かを示す識別コードを付与して記録するような構成も考えられるが、情報ファイルの構成を実際にプリント記録した前記フロントプリント対象情報のみを有するようにすることで、焼き増しプリントの際において、前記情報ファイルの内容を読み出すだけでフロントプリントするべき情報を特定することができる。
【０００８】
又、本出願の第３の発明は、上記第１又は第２の発明の構成に加えて、前記画像保持担体を、デジタルカメラの撮影画像を記憶する記憶媒体あるいは磁気記録機能付き写真フィルムとしている。
すなわち、デジタルカメラにおいては、いわゆるＤＰＯＦ（Ｒ）と呼ばれる仕様でプリント注文のための情報を撮影画像と共にフラッシュメモリ等により構成される記憶媒体に書き込むことが可能であり、撮影日時等の情報を写真プリントの画像面にプリント記録するように指定できるようになっている。
また、上記のようなプリント注文のための情報を利用しなくても、画像ファイルのファイル形式として一般的に仕様されているＪＰＥＧファイル等には撮影日時や任意のコメント等を画像ファイルの中に含めることが可能であり（例えばＥＸＩＦ情報）、写真プリント作製時にこの画像ファイルに含まれる情報を写真プリントの画像面にプリント記録できる仕様の写真プリント装置が多く存在する。
更に、例えばＩＸ２４０判のような撮影日時その他の情報を磁気記録可能な写真フィルムも存在し、その写真フィルムの記憶情報を写真プリントの画像面にプリント記録できる仕様の写真プリント装置も多く存在する。
このような場合において、いずれかのフロントプリント対象情報をプリント記録したときに、前記情報ファイルから実際にプリント記録したフロントプリント対象情報を取得できる。
【０００９】
又、本出願の第４の発明は、上記第１〜第３のいずれかの発明の構成に加えて、前記記録媒体をＣＤ−Ｒメディアとしている。
一度書き込んだデータを物理的に消去して新たなデータで書き換えることができない形式である書換え不能型記録媒体は、一般に安価に入手することができ、その中でも特にＣＤ−Ｒは低価格化が進んで、画像データを記録保存した記録媒体の提供サービスを極めて低コストで行える。
この安価なメディアを利用して画像データの提供と、焼き増しプリントの受け付けを行うことができ、その場合においてフロントプリントの再現のための情報をそのＣＤ−Ｒメディアから自動的に取得することが可能となる。
【発明の効果】
【００１０】
上記第１の発明によれば、前記情報ファイルから、初回の写真プリント作製時に写真プリントの画像面に実際にプリント記録した前記フロントプリント対象情報を自動的に取得することが可能となるので、取扱いの複雑化を回避しながら、初回のプリントにおけるフロントプリントを忠実に再現できるに至った。
又、上記第２の発明によれば、前記情報ファイルの内容を読み出すだけでフロントプリントするべき情報を特定することができるので、フロントプリントを再現するための処理操作をより一層簡素化できる。
【００１１】
又、上記第３の発明によれば、デジタルカメラの撮影画像あるいは磁気記録機能付き写真フィルムの記録情報を利用して写真プリントの画像面に所定の情報をフロントプリントする場合において、前記情報ファイルから実際にプリント記録したフロントプリント対象情報を取得できるので、焼き増しプリントにおいて初回の写真プリントを容易に再現できる。
又、上記第４の発明によれば、写真プリントを作製した画像データの提供と初回の写真プリントの忠実な再現とを、安価なＣＤ−Ｒメディアを利用して行うことができ、写真プリントシステム及びその運用の低コスト化を図ることができる。
【発明を実施するための最良の形態】
【００１２】
以下、本発明の写真プリントシステムの実施の形態を図面に基づいて説明する。
本実施の形態の写真プリントシステムＤＰは、いわゆるデジタルミニラボ機として知られているものであり、図３において店舗に設置した状態の外観を示すように、メモリーカード，光磁気ディスクメディア及びＣＤ−Ｒメディア等の記録画像を取込んで写真プリントの作製注文を受付けるプリント注文受付装置ＩＲと、プリント注文受付装置ＩＲから入力された画像データや現像処理済みの写真フィルム１（以下、「フィルム１」と略称する）の画像データから写真プリントを作製する写真プリント装置ＰＲと、写真プリント装置ＰＲにて写真プリントを作製した画像の画像データを記録媒体に書き込む書込み装置ＣＲとが備えられて構成され、これら各装置の制御部がネットワーク接続されている。
本実施の形態では、書込み装置ＣＲ（図３では図示を省略）にて画像データを書き込む記録媒体として、前記書換え不能型記録媒体の１例であるＣＤ−Ｒメディアを例示しており、以下において、書込み装置ＣＲを「ＣＤ−Ｒ書込み装置ＣＲ」と称する。
尚、図３では、プリント注文受付装置ＩＲを２台備えて、顧客自身が操作できるようにカウンタ１００上に設置した場合を例示している。
【００１３】
〔プリント注文受付装置ＩＲの概略構成〕
プリント注文受付装置ＩＲには、図２の外観斜視図に示すように、ＣＤ−Ｒメディアに記録された画像データを読取るためのＣＤ−ＲＯＭドライブ３０と、光磁気ディスクに記録された画像データを読取るＭＯドライブ３１と、大，中，小の３種類の形状のメモリーカードに記録された画像データを読取るメモリーカードリーダ３２と、顧客がプリント注文をするときの案内表示等を表示するためのタッチパネル式のモニタ３３とが備えられ、更に、図示を省略するが、これらの機器を制御する制御装置が備えられている。
【００１４】
〔写真プリント装置ＰＲの概略構成〕
本実施の形態の写真プリント装置ＰＲは、図１のブロック図及び図３に示すように、現像済みのフィルム１の駒画像を読取るフィルムスキャナ１０を備えると共に、写真プリントシステムＤＰ全体の動作を管理する管理装置３と、管理装置３から受け取った露光用の画像データに基づいて印画紙２に対して露光処理して写真プリントを作製する露光・現像装置４とから構成されている。
【００１５】
〔管理装置３の構成〕
管理装置３には、図１のブロック図に概略的に示すように、フィルム１の駒画像を読み取るフィルムスキャナ１０と、メモリーリーダ，ＭＯドライブ及びＣＤ−Ｒドライブ等を備えた外部入出力装置１１と、汎用小型コンピュータシステムにて構成されてフィルムスキャナ１０や外部入出力装置１１の制御のほか写真プリントシステムＤＰ全体の管理を実行する主制御装置１２とが備えられ、更に、主制御装置１２には、仕上がりプリント画像をシミュレートしたシミュレート画像や各種の制御用の情報を表示するモニタ１２ａと、露光条件の手動設定等や制御情報の入力操作をするための操作卓１２ｂとが接続されている。
【００１６】
フィルムスキャナ１０は、ハロゲンランプ４０と、ハロゲンランプ４０から出射した光の色バランスを調整するための調光フィルタ４１と、調光フィルタ４１を通過した光を均等に混色するミラートンネル４２と、搬送機構４３ａ等が備えられてフィルム１を所定の読取り位置に位置させるフィルムキャリア４３と、フィルム１の駒画像を光電変換するためのＣＣＤラインセンサユニット４４と、フィルム１の画像をＣＣＤラインセンサユニット４４上に結像させるためのレンズ４５と、光路を９０度屈曲させるためのミラー４６と、ＣＣＤラインセンサユニット４４の出力信号を増幅及びＡ／Ｄ変換等する処理回路４７と、フィルムスキャナ１０全体の制御を行う読取制御装置４８とが設けられている。尚、図示を省略するが、フィルムキャリア４３には、ＩＸ２４０判フィルムのような撮影日付その他の情報を磁気記録可能な写真フィルムからその磁気記録された情報を読取るための磁気読取りヘッドが備えられている。
【００１７】
ＣＣＤラインセンサユニット４４は、約５０００個のＣＣＤ素子をフィルム１の幅方向に配列したＣＣＤラインセンサを３列に並べて備えており、各ＣＣＤラインセンサの受光面には夫々赤色、緑色、青色のカラーフィルタが形成されて、フィルム１の駒画像を色分解して検出する。
読取制御装置４８は、主制御装置１２からの読取指令に基づいて、フィルムキャリア４３にセットされたフィルム１の搬送移動を開始させると共に、処理回路４７から出力されるそのフィルム１の駒画像の画像データを主制御装置１２へ出力する。
【００１８】
主制御装置１２には、図示を省略するが、フィルムスキャナ１０から入力されたフィルム１の駒画像の画像データ、外部入出力装置１１から入力された画像データ、更に、プリント注文受付装置ＩＲから入力された画像データを写真プリントの作製に適した画像に画像処理して露光用の画像データを生成する画像処理装置が備えられている。
写真プリント装置ＰＲは、図６に例示するような写真プリントＰＰの画像面に画像と共に撮影日付をプリント記録するいわゆるフロントプリントを行うことが可能であり、このフロントプリントのために、主制御装置１２に備えられた画像処理装置が、本来の画像データとフロントプリントするデータとを合成処理する。
尚、本実施の形態では、上記フロントプリントの対象となるフロントプリント対象情報として撮影日付を例示して説明するが、このフロントプリントでは任意の文字や図形をプリント記録することが可能であり、前記フロントプリント対象情報としては、以下で例示する撮影日付情報以外に撮影者が任意に入力したコメント等の各種の情報を対象とすることができる。
【００１９】
〔露光・現像装置４の概略構成〕
露光・現像装置ＥＰは、筐体内部に、ＰＬＺＴプリントヘッド２０ａを備えた露光ユニット２０と、露光ユニット２０を制御する露光制御装置２１と、露光ユニット２０にて露光された印画紙２を現像処理する現像処理装置２２と、現像処理装置２２内の印画紙搬送系の制御や現像処理液の管理を行う現像制御装置２３と、露光・現像装置４全体を制御するプリンタ制御装置２４と、筐体上面に配置された印画紙マガジン８から引き出された印画紙２を多数の搬送ローラ２５等にて現像処理装置２２へ搬送する印画紙搬送系ＰＴとが設けられている。
【００２０】
露光・現像装置４の筐体外部には、図３に示すように、現像処理装置２２にて現像処理及び乾燥処理された印画紙２をオーダ毎に分類するためのソータ２６と、排出口２２ａから排出された印画紙２をソータ２６へ搬送するコンベア２７とが設けられている。
更に、印画紙搬送系ＰＴの搬送経路の途中には、印画紙マガジン８から引き出された長尺の印画紙２を設定プリントサイズに切断するカッタ２８が備えられている。
【００２１】
〔写真プリントの作製動作〕
次に、上記構成の写真プリントシステムＤＰによる写真プリントの作製動作を概略的に説明する。
先ず、顧客からのプリント注文を受ける場合において画像データや前記フロントプリント対象情報を取込む動作について、図４に示すフローチャートに基づいて説明する。
上述のように、写真プリントの作製を依頼する顧客は自らプリント注文受付装置ＩＲを操作してプリント注文することが可能である他、写真プリント装置ＰＲのオペレータにメモリーカード、写真フィルムあるいはＣＤ−Ｒメディア等を手渡してプリント注文する一般的な取扱いももちろん可能である。
【００２２】
図４の処理は、顧客自身がカウンタ１００上のプリント注文受付装置ＩＲを操作して、プリント注文する場合は、プリント注文受付装置ＩＲに備えられた制御装置にて実行され、オペレータが外部入出力装置１１にメモリーカード等をセットして顧客から受けたプリント注文を入力する場合は、管理装置３の主制御装置１２にて実行される。
写真プリントを作製するための画像及び前記フロントプリント情報を保持する前記画像保持担体は、本実施の形態においてはＩＸ２４０判のフィルム，メモリーカード，ＣＤ−Ｒメディア及び光磁気ディスクを例示しているが、図４では、説明の複雑化を回避するために、メモリーカードとＣＤ−Ｒメディアとから写真プリント作製のための画像データ及び前記フロントプリント情報を取り込むことを想定している。
すなわち、プリント注文受付装置ＩＲ及び外部入出力装置１１のみならず、フィルムスキャナ１０も、写真プリントを作製するための画像と前記フロントプリント情報とを画像保持担体から取り込む取り込み装置ＣＴとして機能する。
【００２３】
顧客自身がプリント注文受付装置ＩＲを操作する場合で説明すると、顧客の持参した画像データが記録されているメモリーカードあるいはＣＤ−Ｒメディアを所定の位置にセットしてモニタ３３から処理の開始を指示すると図４の処理が開始される。
セットされたメディアがメモリーカードであって前記ＤＰＯＦ（Ｒ）情報を含む場合はそのファイルを取り込むと共に、画像データを１駒ずつ取り込んで行く（ステップ＃１，＃９）。
このとき、画像データの供給元がＣＤ−Ｒメディアであるかメモリーカードであるかを判断して（ステップ＃２）、メモリーカードであるときは、その時点で取り込みが完了した駒画像に対応する有効な前記ＤＰＯＦ（Ｒ）情報が存在するか否かを確認する（ステップ＃３）。
【００２４】
取り込んだ駒画像に対応する前記ＤＰＯＦ（Ｒ）情報が存在するときは、更に、その情報において撮影日付をフロントプリントするように設定されているか否かを確認する（ステップ＃４）。
撮影日付をフロントプリントするように設定されていれば、モニタ３３に注文条件を設定するための画面表示を行ったときに、フロントプリントを実行する入力設定となるようにデータを登録し（ステップ＃８）、撮影日付をフロントプリントするように設定されていなければ、モニタ３３に注文条件を設定するための画面表示を行ったときに、フロントプリントを実行しない入力設定となるようにデータを登録する（ステップ＃７）。
具体的には、例えば、モニタ３３に注文条件を設定するための画面表示において、フロントプリントを実行するか否かの指定を行うために、チェックボックスの表示と「フロントプリントする。」の文字表示とを行うようにしておき、前記ＤＰＯＦ（Ｒ）情報において撮影日付をフロントプリントするように設定されていれば、前記チェックボックスの表示にチェックを入れた状態を初期状態とするように登録し、撮影日付をフロントプリントするように設定されていなければ、前記チェックボックスの表示でチェックを外した状態を初期状態とするように登録する。これによって、プリント注文受付装置ＩＲを操作する顧客が意識的に前記「フロントプリントする。」の設定を変更しない限り、前記ＤＰＯＦ（Ｒ）情報の設定が反映されることになる。
【００２５】
一方、取り込んだ駒画像に対応する前記ＤＰＯＦ（Ｒ）情報が存在しないときは（ステップ＃３）、取り込んだ駒画像の画像ファイルのヘッダ領域にＥＸＩＦ情報が存在してそのＥＸＩＦ情報に撮影日付のデータが含まれているか否かを確認して（ステップ＃５）、撮影日付のデータが含まれているときは、モニタ３３に注文条件を設定するための画面表示を行ったときに、フロントプリントを実行しない入力設定となるようにデータを登録し（ステップ＃７）、撮影日付のデータが含まれていないときは、モニタ３３に注文条件を設定するための画面表示を行ったときに、フロントプリントの実行を受付けない表示設定となるようにデータを登録する（ステップ＃６）。
具体的には、例えば、モニタ３３に注文条件を設定するための画面表示において、上述のようにチェックボックスの表示と「フロントプリントする。」の文字表示とを行うようにしておき、前記ＥＸＩＦ情報において撮影日付のデータが含まれているときは、前記チェックボックスの表示でチェックを外した状態を初期状態とするように登録し、撮影日付のデータが含まれていないときは、前記チェックボックスの表示でチェックを外し且つ前記チェックボックスの設定変更を不可とする状態を初期状態とするように登録する。これによって、デフォルトの状態ままでは撮影日付のフロントプリントは行われないが、前記ＥＸＩＦ情報に撮影日付のデータが含まれているときには、プリント注文受付装置ＩＲを操作する顧客が意識的に前記「フロントプリントする。」のチェックボックスにチェックを入れることで撮影日付がフロントプリントされる。
【００２６】
これに対して、写真プリントを作製する画像の画像データの供給元がメモリーカードではなく、ＣＤ−Ｒメディアであるときは（ステップ＃２）、そのＣＤ−Ｒメディアに前記フロントプリント対象情報を有する情報ファイルが存在して、そのとき取り込んだ画像に対応する撮影日付のデータが存在するか否かを確認する（ステップ＃１１）。ＣＤ−Ｒメディアに前記情報ファイルが存在するということは、詳しくは後述するが、通常、初回の写真プリント作製時にプリントした画像データをＣＤ−Ｒメディアに書込み、そのＣＤ−Ｒメディアによって焼き増しプリントを注文している状態であることを意味する。
対応する撮影日付のデータが存在するときは、モニタ３３に注文条件を設定するための画面表示を行ったときに、フロントプリントを実行する入力設定となるようにデータを登録し（ステップ＃８）、モニタ３３に注文条件を設定するための画面表示を行ったときに、フロントプリントの実行を受付けない表示設定となるようにデータを登録する（ステップ＃６）。
具体的には、例えば、モニタ３３に注文条件を設定するための画面表示において、上述のようにチェックボックスの表示と「フロントプリントする。」の文字表示とを行うようにしておき、取り込んだ画像に対応する撮影日付のデータが前記情報ファイルに存在するときは、前記チェックボックスの表示にチェックを入れた状態を初期状態とするように登録し、取り込んだ画像に対応する撮影日付のデータが前記情報ファイルに存在しないときは、前記チェックボックスの表示でチェックを外し且つ前記チェックボックスの設定変更を不可とする状態を初期状態とするように登録する。これによって、取り込んだ画像に対応する撮影日付のデータが前記情報ファイルに存在するときは、顧客が意識的に「フロントプリントする。」のチェックボックスのチェックを外さない限り、撮影日付のフロントプリントが実行される。
【００２７】
以上のようにして、駒画像の取り込みと各駒画像についてのフロントプリントの要否に関する表示設定のデータ登録とが、全ての駒について完了すると（ステップ＃９）、モニタ３３へ取り込んだ駒画像の縮小画像と共にプリント枚数その他の注文条件を入力するための入力欄を有する画面表示を行う（ステップ＃１０）。この画面表示においては、上述のように表示設定されたフロントプリントの条件入力に関する表示も含まれる他、取り込んだ画像データに対して写真プリント装置ＰＲにて適切な画像処理を施した後の画像データをＣＤ−Ｒメディアに書き込むサービスを希望するか否かの設定も含まれる。
プリント注文受付装置ＩＲを操作する顧客は、画面表示に従って必要なデータを入力操作し、それらの入力操作が完了してプリント注文の決定を指示入力すると、プリント注文受付装置ＩＲの制御装置は、入力された注文条件（フロントプリントに関するチェックボックスの設定状態も含む）を読取って、各駒画像の画像データ及び注文条件のデータ、並びに、フロントプリントを実行する設定となっている場合には撮影日付のデータを管理装置３の主制御装置１２へ送る。
【００２８】
次に、上述のようにして各駒画像の画像データ及び注文条件のデータを受け取った主制御装置１２の動作について、図５に示すフローチャートに基づいて説明する。
写真プリント装置ＰＲでは、モニタ１２ａにシミュレート画像を表示して熟練したオペレータが精密に色調整作業を行うことが可能であり、その作業が完了すると図５に示す処理を開始する。
先ず、各駒画像毎に、プリント注文受付装置ＩＲから受け取った前記注文条件のデータにおいてフロントプリントを実行する設定となっているか否かを確認し（ステップ＃２１）、フロントプリントを実行する設定になっていれば（すなわち、前記チェックボックスにチェックが入っていれば）、主制御装置１２に備えられている画像処理装置に対してフロントプリント対象情報である撮影日付のデータを駒画像の画像データと合成するように指示を出す（ステップ＃２２）。
フロントプリントを実行する設定になっている場合は、更に、プリント画像をＣＤ−Ｒメディアに出力することを要求されているか否かを確認し（ステップ＃２３）、要求されている場合には、その駒画像についてフロントプリントを実行する旨を登録（ステップ＃２４）した後、適切な画像処理が完了し且つ撮影日付のデータを合成した画像データを露光・現像装置４へ送出して（ステップ＃２５）印画紙２に対してプリント処理させる。
フロントプリントを実行する設定になっていないときは、直ちに、適切な画像処理の完了した画像データを露光・現像装置４へ送出して（ステップ＃２５）印画紙２に対してプリント処理させる。
【００２９】
以上の処理が全ての駒画像について完了すると（ステップ＃２６）、プリント画像をＣＤ−Ｒメディアに出力することを要求されているときは（ステップ＃２７）、ステップ＃２４のフロントプリント登録をしている駒画像があれば（ステップ＃２８）、その駒画像の撮影日付のデータと、その撮影日付のデータと駒画像との対応関係を示す情報とからなる前記情報ファイルを作製すると共に、各駒画像の画像データ（撮影日付を合成する前の画像データ）をＪＰＥＧ等の汎用フォーマットの画像ファイルに編成して（ステップ＃２９）、その情報ファイル及び画像ファイルをＣＤ−Ｒ書込み装置ＣＲへ出力する（ステップ＃３１）。夫々別ファイルとして構成された前記情報ファイル及び画像ファイルを受け取ったＣＤ−Ｒ書込み装置ＣＲは、セットされているＣＤ−Ｒメディアにそれらのファイルを書き込む。
一方、いずれの駒画像についてもステップ＃２４のフロントプリント登録がないときは、画像ファイルのみを編成して（ステップ＃３１）、ＣＤ−Ｒ書込み装置ＣＲへ出力する。この画像ファイルのデータを受け取ったＣＤ−Ｒ書込み装置ＣＲは、セットされているＣＤ−Ｒメディアに受け取った画像ファイルを書き込む。
【００３０】
すなわち、ＣＤ−Ｒメディアに書き込む前記情報ファイルを、前記フロントプリント対象情報（本実施の形態では、「撮影日付」）のうち、写真プリント作製時に実際にプリント記録したフロントプリント対象情報のみを有するように構成することで、写真プリント作製時に実際にプリント記録したフロントプリント対象情報を特定可能な状態で前記フロントプリント対象情報を有する情報ファイルとして構成している。
このように作製された情報ファイルは、図４のステップ＃１１以降で利用されて、この情報ファイルを有するＣＤ−Ｒメディアで焼き増しプリントを注文したときは、初回の写真プリント（すなわち、ＣＤ−Ｒメディアに画像ファイルを書き込んだときに作製した写真プリント）を忠実に再現することが可能となっている。
【００３１】
以上、プリント注文受付装置ＩＲから顧客自身がプリント注文する場合について説明したが、写真プリント装置ＰＲのオペレータが、外部入出力装置１１からプリントする画像データを入力する場合も同様の処理である。
更に、ＩＸ２４０判のフィルム１に磁気記録された前記フロントプリント対象情報によってフロントプリントし、そのフロントプリントしたフロントプリント対象情報で前記情報ファイルを作製して画像ファイルと共にＣＤ−Ｒメディアに書き込む場合においても同様に取り扱うことができる。ＩＸ２４０判のフィルム１を対象とする場合では、そのフィルム１に磁気記録されている情報を前記ＤＰＯＦ（Ｒ）情報と同様に取り扱うことができ、主制御装置１２にて実行される図４の処理のステップ＃３において「前記ＤＰＯＦ（Ｒ）情報」を「ＩＸ２４０判のフィルム１に磁気記録された情報」と読み替えればよい。
【００３２】
上述のようにして管理装置３から露光・現像装置４へ送られた露光用の画像データは、露光・現像装置４のプリンタ制御装置２４に備えられているメモリに記憶される。
プリンタ制御装置２４は、印画紙搬送系ＰＴから得られる印画紙２の搬送情報に基づいて、印画紙２の前端が所定の露光開始位置まで搬送されて来たことを検知すると、露光制御装置２１に対して露光作動の開始を指令すると共に、露光ユニット２０の露光処理スピードに対応した速度で露光用画像データを露光制御装置２１へ順次送信する。
露光制御装置２１は、受け取った露光用画像データに基づいてＰＬＺＴプリントヘッド２０ａの各光シャッタを作動させて印画紙２にプリント画像の潜像を形成する。
露光ユニット２０にて露光処理された印画紙２は、印画紙搬送系ＰＴにて現像処理装置２２へ搬送されて、各現像処理タンクを順次通過することにより現像され、現像処理された印画紙２は、更に乾燥処理された後に排出口２２ａからコンベア２７上に排出され、ソータ２６にてオーダー毎にまとめられる。
このようにして仕上がった写真プリントＰＰは、図６に示すように、フロントプリントを実行するように設定されているときは、前記フロントプリント対象情報の一例である撮影日付情報ＤＤが画像面側に画像と共にプリント記録され、前記ＣＤ−Ｒメディアを利用した焼き増しプリントの際にもその状態が忠実に再現される。
【００３３】
〔別実施形態〕
以下、本発明の別実施形態を列記する。
（１）上記実施の形態では、ＣＤ−Ｒメディアに書き込む前記情報ファイルは、前記フロントプリント対象情報（上記実施の形態では、「撮影日付」）のうち、写真プリント作製時に実際にプリント記録したフロントプリント対象情報のみを有するように構成する態様で、写真プリント作製時に実際にプリント記録したフロントプリント対象情報を特定可能な状態で前記フロントプリント対象情報を有する情報ファイルとして構成する場合を例示しているが、ＣＤ−Ｒメディア等の記録媒体へ全てのフロントプリント対象情報を書き込むと共に、それらのフロントプリント対象情報のうちの何れのフロントプリント対象情報を実際の写真プリントにプリント記録したかを示す識別符号を付加して前記情報ファイルを構成しても良い。
【００３４】
（２）上記実施の形態では、写真プリント装置ＰＲのプリント形式として、ＰＬＺＴプリントヘッド２０ａを備えたＰＬＺＴ光シャッタ方式の露光形式を例示しているが、レーザビームを走査露光するレーザ露光形式等の他の露光形式でも良いし、更には、インクジェットプリント方式等の露光によらないプリント形式を用いても良い。
（３）上記実施の形態では、書込み装置ＣＲの書込み対象メディアとして書換え不能型記録媒体の１例であるＣＤ−Ｒメディアを例示しているが、ＤＶＤ−Ｒメディア等の書換え不能型記録媒体も利用可能であり、更には、光磁気ディスク等の書換え可能なメディアも利用可能である。
【図面の簡単な説明】
【００３５】
【図１】本発明の実施の形態にかかる写真プリントシステムのブロック構成図
【図２】本発明の実施の形態にかかるプリント注文受付装置の外観斜視図
【図３】本発明の実施の形態にかかる写真プリントシステムの設置態様を示す図
【図４】本発明の実施の形態にかかるフローチャート
【図５】本発明の実施の形態にかかるフローチャート
【図６】撮影日付情報をフロントプリントした写真プリントの例示図
【符号の説明】
【００３６】
ＣＲ  書込み装置
ＣＴ  取り込み装置
ＰＲ  写真プリント装置
【図１】
2005184430.tif 000003
【図２】
2005184430.tif 000004
【図３】
2005184430.tif 000005
【図４】
2005184430.tif 000006
【図５】
2005184430.tif 000007
【図６】
2005184430.tif 000008